(57)【要約】      （修正有）【課題】電子機器を収納する収納ラックの筐体内において一部領域の温度が上昇してしまう熱だまりの事態発生を防止する技術を提供する。【解決手段】制御装置４５は、取得部４６と、ファン制御部４７とを備える。取得部４６は、空冷ファンを備えた電子機器を収納する収納ラックの筐体内に配置されている電子機器の空冷ファンの回転数に関する情報、あるいは、電子機器の内部から外部に排出される排気の温度に関する情報を取得する。ファン制御部４７は、取得部４６により取得された情報を利用して、収納ラックの筐体内から外部への排気を行う排気ファンによる排気の風量が電子機器の内部から外部に排出される排気の風量を下回らないように排気ファンを駆動制御する。【選択図】図１０
2020145325.tif 000002
【特許請求の範囲】
【請求項１】
空冷ファンを備えた電子機器を収納する収納ラックの筐体内に配置されている前記電子機器の前記空冷ファンの回転数に関する情報、あるいは、前記電子機器の内部から外部に排出される排気の温度に関する情報を取得する取得部と、
前記取得部により取得された情報を利用して、前記収納ラックの前記筐体内から外部への排気を行う排気ファンによる排気の風量が前記電子機器の内部から外部に排出される排気の風量を下回らないように前記排気ファンを駆動制御するファン制御部と
を備える制御装置。
【請求項２】
前記取得部により取得された情報を利用して、前記収納ラックの前記筐体内から外部への排気を行う排気ファンによる排気の風量が前記電子機器の内部から外部に排出される排気の風量を下回らないように前記排気ファンの回転数の下限値を設定する下限値設定部をさらに備え、
前記ファン制御部は、前記排気ファンの駆動制御に利用する予め定められた情報を取得し当該取得した情報を利用して、前記排気ファンの回転数を、前記下限値設定部により設定された前記下限値から所定の上限値までの回転数範囲内で設定し、当該設定した回転数に基づいて前記排気ファンを駆動制御する
請求項１に記載の制御装置。
【請求項３】
前記ファン制御部が取得し利用する情報には、前記収納ラックの前記筐体に設けられ前記排気ファンによる前記筐体内から外部への排気の温度を検出する排気温度センサのセンサ出力値と、前記筐体に設けられ前記排気ファンによる排気を冷却する冷媒が循環する循環路において前記排気と前記冷媒の熱交換を行う部分に流入する前記冷媒の温度を検出する冷媒温度センサのセンサ出力値との一方又は両方が含まれる請求項２に記載の制御装置。
【請求項４】
前記収納ラックの前記筐体内に複数の前記電子機器が収納されている場合には、前記下限値設定部は、前記筐体内の前記電子機器からそれぞれ取得した前記空冷ファンの回転数に関する情報を利用して、前記筐体内の前記電子機器の空冷ファンによるトータルの風量を算出し、前記排気ファンによる排気の風量がトータルの風量を下回らないように前記排気ファンの回転数の下限値を設定する請求項２又は請求項３に記載の制御装置。
【請求項５】
空冷ファンを備えた電子機器を収納する筐体と、
筐体に設けられ前記筐体内から外部への排気を行う排気ファンと、
請求項１乃至請求項４の何れか一つに記載の制御装置と
を備える収納ラック。
【請求項６】
空冷ファンを備えた電子機器を収納する収納ラックの筐体内に配置されている前記電子機器の前記空冷ファンの回転数に関する情報、あるいは、前記電子機器の内部から外部に排出される排気の温度に関する情報を取得する取得部を備える監視装置と、
前記取得部により取得された情報を利用して、前記収納ラックの前記筐体内から外部への排気を行う排気ファンによる排気の風量が前記電子機器の内部から外部に排出される排気の風量を下回らないように前記排気ファンを駆動制御するファン制御装置と
を備えるファン制御システム。
【請求項７】
前記監視装置は、前記収納ラックの前記筐体の外に配置されている請求項６に記載のファン制御システム。
【請求項８】
空冷ファンを備えた電子機器を収納する収納ラックの筐体内に配置されている前記電子機器の前記空冷ファンの回転数に関する情報、あるいは、前記電子機器の内部から外部に排出される排気の温度に関する情報を取得し、
前記取得部により取得された情報を利用して、前記収納ラックの前記筐体内から外部への排気を行う排気ファンによる排気の風量が前記電子機器の内部から外部に排出される排気の風量を下回らないように前記排気ファンを駆動制御するファン制御方法。
【請求項９】
空冷ファンを備えた電子機器を収納する収納ラックの筐体内に配置されている前記電子機器の前記空冷ファンの回転数に関する情報、あるいは、前記電子機器の内部から外部に排出される排気の温度に関する情報を取得する処理と、
前記取得部により取得された情報を利用して、前記収納ラックの前記筐体内から外部への排気を行う排気ファンによる排気の風量が前記電子機器の内部から外部に排出される排気の風量を下回らないように前記排気ファンを駆動制御する処理と
をコンピュータに実行させるコンピュータプログラム。
【発明の詳細な説明】
【技術分野】
【０００１】
本発明は、電子機器を収納する収納ラックの筐体内の排気を行うファンの駆動制御に関する。
【背景技術】
【０００２】
ネットワーク接続に利用するネットワーク機器やサーバなどの電子機器が集約されて収納ラックに収納される場合がある。収納ラックには、当該収納ラックの筐体に設置され筐体内から外部へと排気を行うファンが設けられている種類がある。そのファンの駆動による筐体内から外部への排気によって、電子機器から発せられた熱が筐体の外部に排出され、これにより、筐体内（収納ラック内）の温度上昇を抑制することが図られている。そのファンの駆動制御は、例えば、収納ラック内の温度を検出する温度センサのセンサ出力値に応じてファンの回転数を増減させることにより行われる。
【０００３】
なお、特許文献１（特開２０１７-５４２１６号公報）には、ラック装置内に収納されている情報処理装置の消費電力を求め、求めた消費電力に応じて吸排気のダクトの開閉を制御する構成が示されている。また、特許文献２（特開２０１０-４３８１７号公報）には、サーバ室の内部を、サーバを収納するラックが配置されているホットゾーンと、サーバが配置されていないクールゾーンとに区画する構成が示されている。さらに、特許文献２には、ホットゾーンからクールゾーンへの風量と、クールゾーンからホットゾーンへの風量とがほぼ等しくなるように送風機による風量を制御する構成が示されている。
【先行技術文献】
【特許文献】
【０００４】
【特許文献１】特開２０１７-５４２１６号公報
【特許文献２】特開２０１０-４３８１７号公報
【発明の概要】
【発明が解決しようとする課題】
【０００５】
ところで、前述したように、収納ラック内の温度上昇を抑制すべく、ファン駆動により収納ラック内の排気を行っているのにも拘わらず、収納ラック内の一部領域（例えば、床面に近い領域）の温度が上昇してしまうことがある。そのように温度が上昇してしまう領域に熱に弱い部品（例えば、ケーブル端子部分に設けられるＱＳＦＰ（Quad Small Form-factor Pluggable）等の通信モジュール）があると、当該部品が熱損傷してしまう事態が生じることが懸念される。
【０００６】
本発明は上記課題を解決するために考え出された。すなわち、本発明の主な目的は、電子機器を収納する収納ラックの筐体内において一部領域の温度が上昇してしまう事態（以下、熱だまりとも記す）を防止する技術を提供することにある。
【課題を解決するための手段】
【０００７】
上記目的を達成するために、本発明に係る制御装置の一形態は、
空冷ファンを備えた電子機器を収納する収納ラックの筐体内に配置されている前記電子機器の前記空冷ファンの回転数に関する情報、あるいは、前記電子機器の内部から外部に排出される排気の温度に関する情報を取得する取得部と、
前記取得部により取得された情報を利用して、前記収納ラックの前記筐体内から外部への排気を行う排気ファンによる排気の風量が前記電子機器の内部から外部に排出される排気の風量を下回らないように前記排気ファンを駆動制御するファン制御部と
を備える。
【０００８】
本発明に係る収納ラックの一形態は、
空冷ファンを備えた電子機器を収納する筐体と、
筐体に設けられ前記筐体内から外部への排気を行う排気ファンと、
本発明の制御装置と
を備える。
【０００９】
本発明に係るファン制御システムの一形態は、
空冷ファンを備えた電子機器を収納する収納ラックの筐体内に配置されている前記電子機器の前記空冷ファンの回転数に関する情報、あるいは、前記電子機器の内部から外部に排出される排気の温度に関する情報を取得する取得部を備える監視装置と、
前記取得部により取得された情報を利用して、前記収納ラックの前記筐体内から外部への排気を行う排気ファンによる排気の風量が前記電子機器の内部から外部に排出される排気の風量を下回らないように前記排気ファンを駆動制御するファン制御装置と
を備える。
【００１０】
本発明に係るファン制御方法の一形態は、
空冷ファンを備えた電子機器を収納する収納ラックの筐体内に配置されている前記電子機器の前記空冷ファンの回転数に関する情報、あるいは、前記電子機器の内部から外部に排出される排気の温度に関する情報を取得し、
前記取得部により取得された情報を利用して、前記収納ラックの前記筐体内から外部への排気を行う排気ファンによる排気の風量が前記電子機器の内部から外部に排出される排気の風量を下回らないように前記排気ファンを駆動制御する。
【００１１】
本発明に係るコンピュータプログラムの一形態は、
空冷ファンを備えた電子機器を収納する収納ラックの筐体内に配置されている前記電子機器の前記空冷ファンの回転数に関する情報、あるいは、前記電子機器の内部から外部に排出される排気の温度に関する情報を取得する処理と、
前記取得部により取得された情報を利用して、前記収納ラックの前記筐体内から外部への排気を行う排気ファンによる排気の風量が前記電子機器の内部から外部に排出される排気の風量を下回らないように前記排気ファンを駆動制御する処理と
をコンピュータに実行させる。
【発明の効果】
【００１２】
本発明によれば、電子機器を収納する収納ラックの筐体内において一部領域の温度が上昇してしまう熱だまりの事態発生を防止できる。
【図面の簡単な説明】
【００１３】
【図１】本発明に係る第１実施形態の制御装置を備えた収納ラックの内部構成を説明する図である。
【図２】収納ラックに収納される電子機器の内部構成の一例を表す図である。
【図３】第１実施形態の制御装置の構成を簡略化して表すブロック図である。
【図４】第１実施形態の制御装置における動作の一例を表すフローチャートである。
【図５】第１実施形態の制御装置における別の動作の一例を表すフローチャートである。
【図６】第２実施形態のファン制御システムの構成を説明する図である。
【図７】第２実施形態のファン制御システムが適用されている収納ラックの構成を説明する図である。
【図８】ファン制御システムのその他の実施形態を説明する図である。
【図９】第３実施形態における電子機器の内部構成を説明する図である。
【図１０】本発明に係る制御装置のその他の実施形態を説明する図である。
【図１１】本発明に係る収納ラックのその他の実施形態を説明する図である。
【図１２】本発明に係るファン制御システムのその他の実施形態を説明する図である。
【発明を実施するための形態】
【００１４】
以下に、本発明に係る実施形態を図面を参照しながら説明する。
【００１５】
＜第１実施形態＞
図１は本発明に係る第１実施形態の制御装置を備えた収納ラックの内部構成を説明する図である。収納ラック１は、電子機器を収納する筐体２を有する。図１の例では、筐体２の内部２ａには、電子機器として、複数のサーバ１１と、それらサーバ１１のネットワーク接続を制御するネットワークスイッチ１２とが収納されている。
【００１６】
図２は、筐体２に収納されるサーバ１１やネットワークスイッチ１２等の電子機器の内部構成の一例を簡略化して表す図である。図２の例では、電子機器は、ＣＰＵ（Central Processing Unit）等のプロセッサ３１と、半導体メモリ等の記憶装置３２とを備える。プロセッサ３１と記憶装置３２は筐体３０の内部に収納されている。筐体３０の内部には、空冷ファン３４が配置されている。この空冷ファン３４は、筐体３０に設けられた給気口（図示せず）と、プロセッサ３１および記憶装置３２の配置領域と、筐体３０に設けられた排気口（図示せず）とを通る経路の通風を発生させることにより、プロセッサ３１等を空冷する。また、筐体３０の内部には、給気温度センサ３５が設けられている。この給気温度センサ３５は、空冷ファン３４の駆動による通風の経路においてプロセッサ３１および記憶装置３２の配置領域（空冷対象領域）よりも上流側に配置されており、空冷対象領域に流れ込む通風（給気）の温度を検出する。例えば、空冷ファン３４は、給気温度センサ３５により検出される温度に応じて回転数が制御される。
【００１７】
なお、第１実施形態では、サーバ１１には、管理用コントローラであるＢＭＣ（Base Management Controller）が搭載されている。このＢＭＣは、ＩＰＭＩ(Intelligent Platform Management Interface)による標準仕様に応じた構成を備えており、ここでは、その構成の説明は省略する。
【００１８】
第１実施形態の収納ラック１の筐体２には、上述のような内部構成を持つ電子機器が収納される収納空間２ａの開口部が形成されており、当該開口部を開閉自在なドア３が筐体２に備えられている。ドア３は、筐体２の収納空間２ａから筐体２の外部への排気を通す構成を備えている。また、ドア３には、排気ファン４（図１の例では複数の排気ファン４）が搭載されており、当該排気ファン４の駆動により、筐体２の収納空間２ａから外部にドア３を通って排気が行われる。なお、筐体２には、例えばドア３に対向する筐体部分に外部から収納空間２ａに給気する給気孔（図示せず）が設けられている。
【００１９】
さらに、ドア３には、当該ドア３を通る排気を冷却する冷媒が循環する循環路５の受熱部６が設けられている。つまり、循環路５は、冷媒が排気と熱交換することにより排気を冷却する受熱部６と、冷媒に放熱させて冷媒を冷却する放熱部（図示せず）とを通って冷媒が循環する循環路である。このような循環路５の受熱部６が、排気ファン４の駆動による排気の通風経路内に位置するようにドア３に設けられている。循環路５には、受熱部６に流入する冷媒の温度を検出する冷媒温度センサ７が設けられている。
【００２０】
さらに、筐体２には、収納空間２ａの温度を検出する温度センサ８が設けられている。第１実施形態では、温度センサ８の設置位置は、排気ファン４の駆動による排気の通風経路において受熱部６よりも上流側の排気の温度を検出する位置となっている。
【００２１】
さらにまた、筐体２には、制御装置１０が設けられている。制御装置１０は、排気ファン４を駆動制御する機能を備えている。第１実施形態では、制御装置１０は、収納ラック１の筐体２の内部に収納されているサーバ１１のＢＭＣと接続されており、当該ＢＭＣから情報を取得可能な構成となっている。また、制御装置１０は、ネットワークスイッチ１２とも接続されており、ネットワークスイッチ１２からも情報を取得可能となっている。
【００２２】
図３は、制御装置１０の構成を簡略化して表すブロック図である。制御装置１０は、ＣＰＵ等のプロセッサ２０と、記憶装置２１とを備えている。
【００２３】
記憶装置２１は、コンピュータプログラム（以下、プログラムとも記す）２７や各種データを記憶する記憶媒体である。記憶媒体には、ハードディスク装置や、半導体メモリなどの様々な種類があり、ここでは、何れの種類の記憶媒体も記憶装置２１として採用してよく、記憶媒体の構成の説明は省略する。また、複数種の記憶媒体が制御装置１０に備えられる場合があるが、ここでは、このような場合であっても、便宜上、まとめて記憶装置２１と記す。
【００２４】
プロセッサ２０は、記憶装置２１のプログラム２７を読み出し、当該プログラム２７を実行することにより、プログラム２７に基づいた機能を持つことができる。例えば、第１実施形態では、プロセッサ２０は、機能部として、取得部２３と、下限値設定部２４と、ファン制御部２５とを備えている。
【００２５】
取得部２３は、冷媒温度センサ７のセンサ出力値と、温度センサ８のセンサ出力値とを予め定められたタイミング（例えば、所定の時間間隔毎）でもって取得する機能を備える。さらに、取得部２３は、収納ラック１の筐体２内に収納されている各サーバ１１のＢＭＣから空冷ファン３４の回転数の情報を予め定められたタイミング（例えば、所定の時間間隔毎）でもって取得する機能をも備える。また、取得部２３は、上記同様に、ネットワークスイッチ１２に設けられた空冷ファン３４の回転数の情報をも取得する機能を備える。
【００２６】
さらにまた、取得部２３は、取得したセンサ出力値を、発信元のセンサを識別するセンサ識別情報やセンサ出力値の出力時間（あるいは取得時間）などの情報を関連付けて記憶装置２１に登録する機能を備えていてもよい。さらに、取得部２３は、サーバ１１等から取得した空冷ファン３４の回転数の情報を、取得元のサーバ１１を識別する識別情報や取得時間などの情報を関連付けて記憶装置２１に登録する機能を備えていてもよい。
【００２７】
下限値設定部２４は、収納ラック１の筐体２の内部に熱だまりが発生する事態を防止すべく、排気ファン４の回転数の下限値を設定する機能を備えている。つまり、筐体２の内部の熱だまりは、サーバ１１の空冷ファン３４による風量が筐体２の排気ファン４による風量よりも多くて筐体２の内部の通風がスムーズにドア３を通って外部に排出されないことに因ると考えられる。このことから、下限値設定部２４は、筐体２の排気ファン４による風量がサーバ１１の空冷ファン３４による風量を下回らないように排気ファン４の回転数の下限値を可変設定する機能を備える。
【００２８】
第１実施形態では、下限値設定部２４は、排気ファン４の回転数の下限値の設定に、サーバ１１とネットワークスイッチ１２の空冷ファン３４の回転数の情報を利用する。すなわち、ファン駆動による風量はファンの回転数に比例して増減する。このことから、下限値設定部２４は、取得部２３により取得された空冷ファン３４の回転数に、空冷ファン３４の性能等に基づいて予め定められる比例定数を乗算して空冷ファン３４による風量を算出する。第１実施形態では、筐体２の内部に複数のサーバ１１とネットワークスイッチ１２が収納されており、複数の空冷ファン３４があることから、下限値設定部２４は、各空冷ファン３４による風量を算出した後に、それら空冷ファン３４による風量の総和を算出する。下限値設定部２４は、算出された風量の総和を、排気ファン４による風量の下限値として設定し、当該風量の下限値と、排気ファン４の性能等により予め定められる比例定数とを利用して、排気ファン４の回転数の下限値を算出する。排気ファン４が複数設けられている場合には、下限値設定部２４は、複数の排気ファン４の駆動によるトータルの風量が、上述のように設定した風量の下限値となる各排気ファン４の回転数を当該回転数の下限値として算出する。
【００２９】
ファン制御部２５は、取得部２３により取得された冷媒温度センサ７のセンサ出力値および温度センサ８のセンサ出力値を利用して、筐体２から外部に排出される排気の温度が設定された温度となるように排気ファン４の回転数を制御する機能を備える。ファン制御部２５が排気ファン４の回転数を制御する手法は、ここでは、限定されない。ただ、第１実施形態では、ファン制御部２５は、下限値設定部２４により設定された下限値から排気ファン４の仕様等により定められた上限値までの回転数範囲内で排気ファン４の回転数を制御する。つまり、排気ファン４の回転数を可変制御する回転数範囲の上限値と下限値は、排気ファン４の性能や仕様等によって予め設定され、通常、その設定された固定の回転数範囲内で排気ファン４の回転数が制御される。これに対し、第１実施形態では、サーバ１１等の空冷ファン３４の駆動制御状況に応じて排気ファン４の回転数の下限値が下限値設定部２４により可変設定される。このため、ファン制御部２５は、次のような処理も行う。
【００３０】
例えば、ファン制御部２５は、上述したような固定の回転数範囲内で排気ファン４を制御する回転数の候補値を算出する。そして、ファン制御部２５は、その算出した候補値と、下限値設定部２４により設定された回転数の下限値とを比較し、候補値が下限値以上である場合には、当該候補値を回転数の目標値として確定する。一方、ファン制御部２５は、候補値と下限値設定部２４による下限値との比較により、候補値が下限値未満である場合には、下限値設定部２４による下限値を回転数の目標値として確定する。そして、ファン制御部２５は、そのように確定した回転数の目標値となるように、排気ファン４の回転数を制御する。
【００３１】
第１実施形態の制御装置１０およびそれを備えた収納ラック１は、上記のように構成されている。次に、制御装置１０における排気ファン４の下限値を設定する制御動作の一例と、排気ファン４を駆動制御する動作の一例とを図４、図５を利用して説明する。なお、図４は、排気ファン４の下限値を設定する処理工程を表すフローチャートであり、図５は、排気ファン４を駆動制御する処理工程を表すフローチャートである。
【００３２】
例えば、制御装置１０の下限値設定部２４は、サーバ１１およびネットワークスイッチ１２から空冷ファン３４の回転数の情報を取得する（図４のステップＳ１）。そして、下限値設定部２４は、取得した回転数に、空冷ファン３４の性能等により予め定められ与えられている比例定数を乗算することにより、空冷ファン３４による風量を算出する（ステップＳ２）。さらに、下限値設定部２４は、筐体２の内部に収納されているサーバ１１とネットワークスイッチ１２の全ての電子機器の空冷ファン３４による風量の総和を算出する（ステップＳ３）。然る後に、下限値設定部２４は、算出した風量の総和から、排気ファン４の性能等により予め定められ与えられている比例定数を利用して排気ファン４の回転数の下限値を算出する（ステップＳ４）。その後、下限値設定部２４は、予め定められた処理開始の次のタイミングに備え、当該処理開始のタイミングとなった場合に、ステップＳ１以降の動作を実行する。
【００３３】
ファン制御部２５は、図５に表されるような排気ファン４の駆動制御に係る処理工程を実行する。すなわち、ファン制御部２５は、冷媒温度センサ７と温度センサ８のセンサ出力値による温度情報を利用して、排気ファン４の回転数の候補値を算出する（ステップＳ１１）。そして、ファン制御部２５は、算出した候補値と、下限値設定部２４により算出された排気ファン４の回転数の下限値とを比較し、候補値が下限値以上であるか否かを判断する（ステップＳ１２）。この比較の結果、候補値が下限値以上である場合には、ファン制御部２５は、候補値を排気ファン４の回転数の目標値として確定する（ステップＳ１３）。一方、候補値が下限値以上でない（候補値が下限値未満である）場合には、ファン制御部２５は、下限値を排気ファン４の回転数の目標値として確定する（ステップＳ１４）。そして、ファン制御部２５は、そのように確定した回転数の目標値となるように排気ファン４の回転数を制御する。このようなファン制御部２５の一連の処理は繰り返し行われる。
【００３４】
以上のように、第１実施形態の収納ラック１は、筐体２と、排気ファン４と、制御装置１０とを備え、制御装置１０は、排気ファン４による風量がサーバ１１等の電子機器の空冷ファン３４による風量を下回らないように排気ファン４の回転数の下限値を設定する機能を備える。これにより、制御装置１０およびそれを備えた収納ラック１は、排気ファン４による風量が空冷ファン３４による風量を下回ることを防止できる。このため、制御装置１０およびそれを備えた収納ラック１は、排気ファン４による風量が空冷ファン３４による風量を下回ったことに因る筐体２の内部の熱だまりが発生することを防止でき、熱だまりの熱に因る部品や装置の熱損傷を防止できる。
【００３５】
＜第２実施形態＞
以下に、本発明に係る第２実施形態を説明する。第２実施形態では、ファン制御システムの一実施形態を説明する。なお、第２実施形態の説明では、第１実施形態における制御装置と収納ラックと電子機器（サーバとネットワークスイッチ）を構成する構成部分と同一名称部分には同一符号を付し、その共通部分の重複説明は省略する。
【００３６】
図６は、第２実施形態におけるファン制御システムの一実施形態の構成を簡略化して表すブロック図である。第２実施形態のファン制御システム１５は、監視装置１６と、ファン制御装置１７とを備える。監視装置１６は、取得部２３と、下限値設定部２４とを備える。第２実施形態では、図７に表されるように、収納ラック１に収納されるサーバ１１の一つが監視装置１６としても機能する。つまり、監視装置１６としての機能も持つサーバ１１のプロセッサ３１が、取得部２３と下限値設定部２４をプログラムの実行により実現する。取得部２３と下限値設定部２４の機能は、第１実施形態で説明した取得部２３と下限値設定部２４と同様である。
【００３７】
ファン制御装置１７は、第１実施形態で説明したファン制御部２５と同様な機能を持ち、収納ラック１の制御装置１０のプロセッサ２０により実現される。つまり、ファン制御装置１７は、監視装置１６における取得部２３と下限値設定部２４から情報を取得し、また、冷媒温度センサ７と温度センサ８から温度の情報を取得し、取得した情報を利用して、排気ファン４を駆動制御する機能を備える。このファン制御装置１７による排気ファン４の駆動制御では、第１実施形態と同様に、排気ファン４の回転数を可変制御する回転数範囲の下限値は、下限値設定部２４により設定された下限値である。
【００３８】
第２実施形態のファン制御システム１５は、第１実施形態で説明した取得部２３および下限値設定部２４およびファン制御部２５と同様の機能を備えていることから、第１実施形態の制御装置１０およびそれを備えた収納ラック１と同様の効果を得ることができる。つまり、第２実施形態のファン制御システム１５は、排気ファン４による風量が空冷ファン３４による風量を下回ったことに因る筐体２の内部の熱だまりの発生を防止でき、熱だまりの熱に因る部品や装置の熱損傷を防止できる。
【００３９】
なお、第２実施形態では、監視装置１６が収納ラック１に収納されているサーバ１１により実現される例を説明している。これに代えて、図８に表されるように、監視装置１６は、収納ラック１の筐体２の外部のサーバ４０により実現されてもよい。サーバ４０は、例えば、別の収納ラックに収納されている。
【００４０】
＜第３実施形態＞
以下に、本発明に係る第３実施形態を説明する。なお、第３実施形態の説明において、第１や第２の実施形態で説明した制御装置と収納ラックと電子機器（サーバとネットワークスイッチ）の構成部分と同一名称部分には同一符号を付し、その共通部分の重複説明は省略する。
【００４１】
第３実施形態では、筐体２の内部に収納される電子機器（サーバ１１とネットワークスイッチ１２）における筐体３０の内部には、図９に表されるような排気温度センサ３６が設けられている。排気温度センサ３６は、空冷ファン３４の駆動による通風の経路における空冷対象領域（プロセッサ３１と記憶装置３２の配置領域）よりも下流側に配置されており、空冷対象領域を通り抜けた通風（排気）の温度を検出する。
【００４２】
サーバ等の電子機器においては、給気温度センサ３５と排気温度センサ３６のうちの給気温度センサ３５のみが設けられることが一般的であるが、ここでは、給気温度センサ３５と排気温度センサ３６の両方が備えられている。
【００４３】
制御装置１０あるいは監視装置１６の取得部２３は、サーバ１１とネットワークスイッチ１２から、第１や第２の実施形態で説明したような空冷ファン３４の回転数の情報を取得するのに代えて、排気温度センサ３６のセンサ出力値を取得する機能を備える。つまり、取得部２３は、空冷ファン３４の回転数の情報を取得する場合と同様に、サーバ１１とネットワークスイッチ１２のＢＭＣから排気温度センサ３６のセンサ出力値を取得する。
【００４４】
また、下限値設定部２４は、第１と第２の実施形態で説明したような空冷ファン３４の回転数に基づいた風量を利用して排気ファン４の下限値を設定しているのに代えて、排気温度センサ３６による排気の温度を利用して排気ファン４の下限値を設定する。例えば、下限値設定部２４は、筐体２の内部に配置されている全ての電子機器（サーバ１１とネットワークスイッチ１２）から、同じ取得タイミングで取得した排気温度センサ３６による排気の検出温度のうち、最も高い検出温度を抽出する。このように抽出される検出温度は、電子機器の空冷ファン３４による風量に応じた情報として使用される。つまり、排気温度センサ３６の検出温度の高低変化と、空冷ファン３４による風量の増減変化とは同様な傾向が見られると想定される。このことから、排気温度センサ３６の検出温度を利用して排気ファン４の回転数の下限値を設定するための排気温度センサ３６の検出温度と排気ファン４の回転数の下限値との関係データをシミュレーション等により予め求め、記憶装置２１に登録しておく。下限値設定部２４は、そのような関係データと、抽出した排気温度センサ３６の検出温度とに基づいて、排気ファン４の回転数の下限値を設定する。第３実施形態においても、その設定された排気ファン４の回転数の下限値は、第１と第２の実施形態と同様に、排気ファン４による風量が空冷ファン３４による風量を下回ることを防止する値である。
【００４５】
第３実施形態における上記以外の構成は、第１実施形態の制御装置１０と収納ラック１の構成あるいは第２実施形態のファン制御システムの構成と同様であり、ここでは、その重複説明は省略する。第３実施形態においても、上記のように排気ファン４の回転数の下限値を設定することから、第１実施形態と同様の効果を得ることができる。つまり、第３実施形態では、排気ファン４による風量が空冷ファン３４による風量を下回ることが防止される。このため、第３実施形態では、排気ファン４による風量が空冷ファン３４による風量を下回ったことに因る筐体２の内部の熱だまりの発生が防止され、熱だまりの熱に因る部品や装置の熱損傷が防止される。
【００４６】
＜第４実施形態＞
以下に、本発明に係る第４実施形態を説明する。なお、第４実施形態の説明において、第１〜第３の実施形態で説明した制御装置と収納ラックと電子機器（サーバとネットワークスイッチ）の構成部分と同一名称部分には同一符号を付し、その共通部分の重複説明は省略する。
【００４７】
第４実施形態では、第３実施形態と同様に、収納ラック１に収納されているサーバ１１とネットワークスイッチ１２は、排気温度センサ３６を備えている。制御装置１０あるいは監視装置１６の取得部２３は、サーバ１１とネットワークスイッチ１２から、空冷ファン３４の回転数の情報ではなく、排気温度センサ３６のセンサ出力値（検出温度）を取得する。
【００４８】
第４実施形態では、制御装置１０あるいは監視装置１６の下限値設定部２４が省略される。制御装置１０のファン制御部２５あるいはファン制御装置１７は、温度センサ８のセンサ出力値に代えて、取得部２３により取得された排気温度センサ３６のセンサ出力値（検出温度）を利用して、排気ファン４を駆動制御する。ここで利用される排気温度センサ３６の検出温度は、例えば、筐体２の内部における全てのサーバ１１とネットワークスイッチ１２から、同じ取得タイミングで取得した排気温度センサ３６による排気の検出温度のうち、最も高い検出温度である。
【００４９】
前述したように、排気温度センサ３６による排気の検出温度は、サーバ１１あるいはネットワークスイッチ１２の空冷ファン３４による風量の増減変化と同様な高低変化が見られる。このことから、制御装置１０のファン制御部２５あるいはファン制御装置１７は、温度センサ８の検出温度に代えて、排気温度センサ３６による検出温度を利用して排気ファン４を駆動制御することにより、第１〜第３の実施形態と同様の効果を得ることができる。
【００５０】
また、温度センサ８の検出温度に代えて、排気温度センサ３６による検出温度を利用することから、温度センサ８を省略することができる。
【００５１】
＜その他の実施形態＞
なお、本発明は第１〜第４の実施形態に限定されずに、様々な実施の形態を採り得る。例えば、図１０は、本発明に係る制御装置のその他の実施形態の構成を表すブロック図である。図１０における制御装置４５は、取得部４６と、ファン制御部４７とを備える。取得部４６は、空冷ファンを備えた電子機器を収納する収納ラックの筐体内に配置されている電子機器の空冷ファンの回転数に関する情報、あるいは、電子機器の内部から外部に排出される排気の温度に関する情報を取得する機能を備える。ファン制御部４７は、取得部４６により取得された情報を利用して、収納ラックの筐体内から外部への排気を行う排気ファンによる排気の風量が電子機器の内部から外部に排出される排気の風量を下回らないように排気ファンを駆動制御する機能を備える。このような構成を持つ制御装置４５は、例えば、図１１に表されるような収納ラック５０に備えられる。すなわち、図１１における収納ラック５０は、筐体５１と排気ファン５２に加えて、上述した制御装置４５を備える。筐体５１は、空冷ファンを備えた電子機器を収納する構成を備える。排気ファン５２は、筐体５１に、筐体内から外部への排気を行うように設置されている。
【００５２】
図１０における制御装置４５と、図１１における収納ラック５０は、収納ラックの筐体内から外部への排気を行う排気ファンによる排気の風量が電子機器の内部から外部に排出される排気の風量を下回らないように排気ファンを駆動制御する。このため、制御装置４５および収納ラック５０は、第１〜第４の実施形態と同様の効果を得ることができる。
【００５３】
図１２は、本発明に係るファン制御システムのその他の実施形態の構成を表すブロック図である。図１２におけるファン制御システム５４は、監視装置５５と、ファン制御装置５６と備える。監視装置５５は取得部５７を備える。取得部５７は、空冷ファンを備えた電子機器を収納する収納ラックの筐体内に配置されている電子機器の空冷ファンの回転数に関する情報、あるいは、電子機器の内部から外部に排出される排気の温度に関する情報を取得する機能を備える。
【００５４】
ファン制御装置５６は、取得部５７により取得された情報を利用して、収納ラックの筐体内から外部への排気を行う排気ファンによる排気の風量が電子機器の内部から外部に排出される排気の風量を下回らないように排気ファンを駆動制御する機能を備える。
【００５５】
このファン制御システム５４も、第１〜第４の実施形態と同様の効果を得ることができる。
【符号の説明】
【００５６】
１，５０  収納ラック
２，５１  筐体
４，５２  排気ファン
７  冷媒温度センサ
８  温度センサ
１０，４５  制御装置
１１  サーバ
１２  ネットワークスイッチ
１５，５４  ファン制御システム
１６，５５  監視装置
１７，５６  ファン制御装置
２３，４６，５７  取得部
２４  下限値設定部
２５，４７  ファン制御部
３６  排気温度センサ
【図１】
2020145325.tif 000003
【図２】
2020145325.tif 000004
【図３】
2020145325.tif 000005
【図４】
2020145325.tif 000006
【図５】
2020145325.tif 000007
【図６】
2020145325.tif 000008
【図７】
2020145325.tif 000009
【図８】
2020145325.tif 000010
【図９】
2020145325.tif 000011
【図１０】
2020145325.tif 000012
【図１１】
2020145325.tif 000013
【図１２】
2020145325.tif 000014